(57)【要約】【課題】  本発明は、片手で把持することができるようにして、取付または交換時の作業性を向上させ、作業上の安全性を高めるようにした、ＬＥＤ交通信号灯具を提供することを目的とする。【解決手段】  平坦な発光面１１としての円板状の前面を含む扁平な薄型のハウジング１２と、発光面の内側にて発光面に対向して配置された複数個のＬＥＤと、各ＬＥＤを駆動するための駆動回路と、を含んでいる、ＬＥＤ交通信号灯具１０であって、上記ハウジングの後面に部分的に形成された凹陥部１３ａから成る把持部１３を備えるように、ＬＥＤ交通信号灯具灯具１０を構成する。【選択図】        図１
2005128895.tif 000002
【特許請求の範囲】
【請求項１】
平坦な発光面としての円板状の前面を含む扁平な薄型のハウジングと、発光面の内側にて発光面に対向して配置された複数個のＬＥＤと、各ＬＥＤを駆動するための駆動回路と、を含んでいる、ＬＥＤ交通信号灯具であって、  上記ハウジングの後面に部分的に形成された凹陥部から成る把持部を備えていることを特徴とする、ＬＥＤ交通信号灯具。
【請求項２】
上記把持部が、作業者が片手でハウジングを把持することができるように形成されていることを特徴とする、請求項１に記載のＬＥＤ交通信号灯具。
【請求項３】
上記把持部が、互いに離れて配置された複数の凹陥部から構成されていることを特徴とする、請求項１または２に記載のＬＥＤ交通信号灯具。
【請求項４】
上記把持部が、環状に配置された凹陥部から構成されていることを特徴とする、請求項１または２に記載のＬＥＤ交通信号灯具。
【請求項５】
上記凹陥部の内側縁が、凹陥部内に突出する突出部を備えていることを特徴とする、請求項４に記載のＬＥＤ交通信号灯具。
【発明の詳細な説明】
【技術分野】
【０００１】
本発明は、交通信号灯具に関し、特に光源としてＬＥＤを使用したＬＥＤ交通信号灯具に関するものである。
【背景技術】
【０００２】
例えば交差点等に設けられる交通信号においては、光源として従来から使用されてきた白熱灯に換えて、ＬＥＤを使用した交通信号灯具が使用されるようになってきている。これは、ＬＥＤの消費電力が白熱灯と比較して大幅に少なく、また寿命が半永久的といってもよい程長い点に着目した結果である。
【０００３】
ところで、このようなＬＥＤ交通信号灯具は、例えば図６及び図７に示すように構成されている。
図６及び図７において、ＬＥＤ交通信号灯具１は、円板状の発光面１ａを備えた、比較的扁平に形成されたハウジング２を含んでいる。そして、ハウジング２内において、発光面１ａの内側にて、この発光面１ａのほぼ全面に亘って対向して配置された複数個のＬＥＤ（図示せず）と、これらのＬＥＤを駆動するための駆動回路（図示せず）が、収容されている。
【０００４】
このような構成のＬＥＤ交通信号灯具１によれば、外部からハウジング２内の駆動回路に対して給電が行なわれることにより、駆動回路が各ＬＥＤを駆動して、各ＬＥＤから光を出射させる。従って、各ＬＥＤから出射した光は、ハウジング２の前面である発光面１ａから外部に向かって照射され、交通信号の発光表示が行なわれるようになっている。
【発明の開示】
【発明が解決しようとする課題】
【０００５】
ところで、このようなＬＥＤ交通信号灯具１においては、そのハウジング２は、発光面１ａの大きさと、内部に収容するＬＥＤ及び駆動回路の大きさとから、できるだけ薄型になるように、扁平に形成されていると共に、特に把持部は設けられていない。
従って、当該ＬＥＤ交通信号灯具１を交通信号機に対して取り付けたり、交換する場合には、作業者は、ＬＥＤ交通信号灯具１のハウジング２を例えば両側から両手で持って、交通信号機の所定の取付箇所に持ち来し、装着するようにしている。
【０００６】
しかしながら、このような交通信号機における灯具の交換は、一般的には高所作業であることから、ＬＥＤ交通信号灯具１のハウジング２の両側を両手で持って交換作業を行なうことは作業性が悪く、また作業上の安全性の点からも好ましくない。
【０００７】
本発明は、以上の点から、片手で把持することができるようにして、取付または交換時の作業性を向上させ、作業上の安全性を高めるようにした、ＬＥＤ交通信号灯具を提供することを目的としている。
【課題を解決するための手段】
【０００８】
上記目的は、本発明によれば、平坦な発光面としての円板状の前面を含む扁平な薄型のハウジングと、発光面の内側にて発光面に対向して配置された複数個のＬＥＤと、各ＬＥＤを駆動するための駆動回路と、を含んでいる、ＬＥＤ交通信号灯具であって、上記ハウジングの後面に部分的に形成された凹陥部から成る把持部を備えていることを特徴とする、ＬＥＤ交通信号灯具により、達成される。
【０００９】
本発明によるＬＥＤ交通信号灯具は、好ましくは、上記把持部が、作業者が片手でハウジングを把持することができるように形成されている。
【００１０】
本発明によるＬＥＤ交通信号灯具は、好ましくは、上記把持部が、互いに離れて配置された複数の凹陥部から構成されている。
【００１１】
本発明によるＬＥＤ交通信号灯具は、好ましくは、上記把持部が、環状に配置された凹陥部から構成されている。
【００１２】
本発明によるＬＥＤ交通信号灯具は、好ましくは、上記凹陥部の内側縁が、凹陥部内に突出する突出部を備えている。
【発明の効果】
【００１３】
上記構成によれば、ハウジングの後面に把持部が備えられているので、ＬＥＤ交通信号灯具の取付または交換の作業時に、作業者は、この把持部内に手指を挿入することにより、把持部によりＬＥＤ交通信号灯具を把持することができる。従って、作業時に、ＬＥＤ交通信号灯具を容易に且つ確実に把持することができるので、作業性が向上し、より作業上の安全性が高くなる。
【００１４】
また、上記把持部が凹陥部から構成されていることにより、薄型のハウジングを維持することができると共に、把持部がハウジングの外側に突出するようなことがないので、ＬＥＤ交通信号灯具の運搬や取扱いが阻害されるようなことはない。
尚、把持部を構成する凹陥部は、ハウジング内にて、ＬＥＤや駆動回路が配置されていない領域に選択的に設けられることにより、ＬＥＤ交通信号灯具の機能を損なうようなことはない。
【００１５】
上記把持部が、作業者が片手でハウジングを把持することができるように形成されている場合には、作業者は、ＬＥＤ交通信号灯具の取付または交換の際に、ＬＥＤ交通信号灯具のハウジングに設けられた把持部を片手で把持することにより、取付または交換作業を行なうことができるので、他方の手を自由に使用できることから、作業性がさらに向上することになる。。
【００１６】
上記把持部が、互いに離れて配置された複数の凹陥部から構成されている場合には、各凹陥部内に手指を挿入して、ハウジングを把持することができる。
【００１７】
上記把持部が、環状に配置された凹陥部から構成されている場合には、凹陥部の互いに対向する反対側の領域に手指を挿入して、ハウジングを把持することができる。
【００１８】
上記凹陥部の内側縁が、凹陥部内に突出する突出部を備えている場合には、凹陥部内に手指を挿入してハウジングを把持するときに、手指を突出部に掛けることにより、より確実にハウジングを把持することができる。
【００１９】
このようにして、本発明によれば、ハウジングの後面に凹陥部による把持部を設けることにより、ハウジングの薄型形状を維持しながら、ハウジングを確実に且つ安定して把持することができるので、ＬＥＤ交通信号灯具の取付または交換の際の作業性が向上すると共に、安全性が高められることになる。
【発明を実施するための最良の形態】
【００２０】
以下、この発明の好適な実施形態を図１乃至図５を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【実施例１】
【００２１】
図１は、本発明による車両用灯具の一実施形態の構成を示している。
図１において、ＬＥＤ交通信号灯具１０は、円板状の発光面１１を備えた、比較的扁平に形成されたハウジング１２を含んでいる。
そして、ハウジング１２内において、発光面１１の内側にて、この発光面１１のほぼ全面に亘って対向して配置された複数個のＬＥＤ（図示せず）と、これらのＬＥＤを駆動するための駆動回路（図示せず）が、収容されている。
【００２２】
ここで、上記ハウジング１２は、例えばプラスチック材料により射出成形等によって成形されており、その表面に上記駆動回路への給電を行なうための端子部（図示せず）を備えている。
【００２３】
以上の構成は、図６及び図７に示した従来のＬＥＤ交通信号灯具１と同様の構成であるが、本発明実施形態によるＬＥＤ交通信号灯具１０においては、さらに上記ハウジング１２が、その後面に、把持部１３を備えている。
この把持部１３は、ハウジング１２に設けられた凹陥部１３ａから構成されている。
図示の場合、この凹陥部１３ａは、ハウジング１２の後面にて環状に画成されており、ハウジング１２の成形の際に同時に成形されるようになっている。
さらに、上記凹陥部１３ａは、その内側縁に沿って、等角度間隔に配置された複数個の凹陥部１３ａ内に向かって突出する突出部１３ｂを備えている。
【００２４】
本発明実施形態によるＬＥＤ交通信号灯具１０は、以上のように構成されており、外部から前記端子部を介してハウジング１２内の駆動回路に対して給電が行なわれることにより、この駆動回路が各ＬＥＤを駆動して、各ＬＥＤから光を出射させる。これにより、各ＬＥＤから出射した光は、ハウジング１２の前面である発光面１１から外部に向かって照射され、交通信号の発光表示が行なわれるようになっている。
【００２５】
ここで、ＬＥＤ交通信号灯具１０を交通信号機に取り付けたり、または交換する場合には、作業者は、図５に示すようにして、ハウジング１２の後面に設けられた把持部１３を構成する凹陥部１３ａ内に片手の手指を挿入して、突出部１３ｂに手指を掛けながら、把持する。これにより、作業者は、ＬＥＤ交通信号灯具１０のハウジング１２を、片手で容易に且つ確実に安定して把持することができる。従って、ＬＥＤ交通信号灯具１０の取付または交換の作業性を向上させることになり、さらに作業上の安全性を高めることができる。
【００２６】
また、上記把持部１３は、ハウジング１２の成形金型に対して、把持部１３を構成する凹陥部１３ａに対応する形状を前もって形成しておくことにより、凹陥部１３ａを形成するための工程を別途設ける必要はない。
【００２７】
尚、上記把持部１３は、ハウジング１２の内部に突出することになるが、ハウジング１２内におけるＬＥＤ及び駆動回路等の配置を適宜に選定することによって、把持部１３と内部のＬＥＤや駆動回路等の干渉を生じないようにすれば、ＬＥＤ交通信号灯具の機能が損なわれてしまうようなことはない。
【００２８】
このようにして、本発明実施形態によるＬＥＤ交通信号灯具１０によれば、ハウジング１２の後面に、凹陥部１３ａから成る把持部１３を設けることにより、ハウジングの薄型形状を維持しながら、ハウジング１２を容易に且つ確実に安定して保持することができるので、ＬＥＤ交通信号灯具１０の交通信号機への取付または交換の作業性が向上し、作業上の安全性が高まる。
【産業上の利用可能性】
【００２９】
上述した実施形態においては、ハウジング１２に設けられた把持部１３は、環状の凹陥部１３ａにより構成されているが、これに限らず、他の形状、例えば複数個の凹陥部が互いに離れて配置されていてもよく、あるいは一つの凹陥部がハウジング１２の後面の端縁に隣接して配置されていてもよい。
ここで、複数個の凹陥部が互いに離れて配置されている場合には、作業者は、各凹陥部内に手指を挿入することにより、ハウジングを把持することができ、また一つの凹陥部がハウジング１２の後面の端縁に隣接して配置されている場合には、作業者は、凹陥部内に少なくとも一本の手指を挿入すると共に、ハウジング１２の後面の端縁に他の少なくとも一本の手指を掛けることにより、ハウジング１２を把持することができる。
【図面の簡単な説明】
【００３０】
【図１】本発明によるＬＥＤ交通信号灯具の一実施形態の構成を示す概略斜視図である。
【図２】図１のＬＥＤ交通信号灯具の背面図である。
【図３】図１のＬＥＤ交通信号灯具の一部破断側面図である。
【図４】図１のＬＥＤ交通信号灯具の後面側を示す概略斜視図である。
【図５】図１のＬＥＤ交通信号灯具の把持状態を示す概略斜視図である。
【図６】従来のＬＥＤ交通信号灯具の一例の構成を示す概略斜視図である。
【図７】図６のＬＥＤ交通信号灯具の側面図である。
【符号の説明】
【００３１】
１０    ＬＥＤ交通信号灯具
１１    発光面
１２    ハウジング
１３    把持部
１３ａ  凹陥部
１３ｂ  突出部
【図１】
2005128895.tif 000003
【図２】
2005128895.tif 000004
【図３】
2005128895.tif 000005
【図４】
2005128895.tif 000006
【図５】
2005128895.tif 000007
【図６】
2005128895.tif 000008
【図７】
2005128895.tif 000009